(57)【要約】【課題】起伏式ベッドでズリ落ちを起さない為に、起伏でマットの曲折箇所を一定にし、頭の突き出しがない中心移動起伏連動変位機能のソフトギヤッチベッドの提供。【解決手段】本発明のソフトギャチベッドは中心軸（１）起伏軸（２）ボトム載置部をもつ台座（３）に、尻腰ボトム（４）背ボトム（５）肩頭ボトム（６）を起伏で姿勢保持が変位可能に連結し、２つの移動幅をもつ駆動力を中心軸（１）起伏軸（２）に連結して台座を前後に移動させながら起伏させマットの曲折箇所を一定にし尻押し、頭の突き出しを解消し、介護作業を軽減し、ベッド療養の苦痛を和らげる。【選択図】図３
2005052539.tif 000002
【特許請求の範囲】
【請求項１】
起伏式ベッドの背上げ機構で背に対応するボトム部を前後に移動させながら起伏させ、起伏度合いに応じて姿勢保持を変位させるために、前記ボトム部を中心軸（１）起伏軸（２）ボトム載置部をもつ台座（３）と、尻腰ボトム（４）背ボトム（５）肩頭ボトム（６）に分け、前記ボトム載置部を尻腰部、背部、肩頭部に分画し、前記背部両端より前記尻腰部、前記肩頭部に斜め下方向の傾斜をもたせる、前記尻腰ボトム（４）を前記台座（３）の尻腰部に前記背部側端で回動可能に連結し、前記背ボトム（５）を前記台座（３）の背部に固定、前記肩頭ボトム（６）はボトム受け（７）に固定して、前記台座（３）の前記肩頭部に前記背部側端で回動可能に連結、前記ボトム受け（７）は前記台座（３）の所定起伏角度で肩頭ボトムが並行後退傾斜できるように前記肩頭ボトム（６）固定対向側に傾斜と傾斜を制御するガイド孔（８）をもつ、前記中心軸（１）をベッドフレームに固定した軸受け（１０）の長孔（１１）に摺動可能に連結する、背上げのための移動幅をもつ駆動力を移動幅の異なる２つの駆動力に分け、移動幅の小さい駆動力を前記中心軸（１）に伝達出来るように連結、移動幅の大きい駆動力を前記起伏軸（２）に伝達出来るよう連結する、前記軸受け（１０）の小孔（１１）と前記ボトム受け（７）のガイド孔（８）に前記肩頭ボトム（６）の並行後退傾斜を助ける傾斜杆（９）を連結する、背上げを駆動すると前記台座（３）は前記中心軸（１）前記起伏軸（２）の移動に伴って起伏を始め、起伏に応じて各ボトムは姿勢保持を変位させることが出来る移動と起伏と変位を構成した中心移動起伏連動変位機能を有することを特徴とする背上げ機構のソフトギャチベッド。
【発明の詳細な説明】
【技術分野】
【０００１】
本発明は起伏式ベッド装置に用いられる背上げ機構及び背上げ機構が用いられるベッド装置に関するものである。
【背景技術】
【０００２】
従来の起伏式ベッドの背上げは頭から尻までを直線上に配し、且つマット上の曲折箇所を一定にするための方策が成されていないから、背上げ度合いで曲折箇所が移動するため、マット上の人は背上げの度に脚方向へ押され滑る、この滑りを防ぐために脚部を上げたり、尻を落す方法をとる、このため次の様な問題点があった。
【０００３】
（１）マット上の尻の落し幅は起伏度合で変化し起伏度合が大きくなると尻を押し圧迫が強くなり擦りを受け、不快感を誘発する。
（２）背上部が直線状であるため起伏度合を大きくすると頭の突き出しを起こす。
（３）繰返し起伏すると尻押し、圧迫、はズリ落ちを起こし、擦りは褥瘡の遠因となる。
（４）ズリ落ちの修復引き上げのため介護者は腰を痛める。
以上の事を我慢して使用している。
【特許文献１】特開  ２０００−６０９０７
【特許文献２】特開  平１１−７６３１６
【特許文献３】特開  ２０００−１４００３９
【特許文献４】特開  ２０００−８３７６０
【特許文献５】特開  ２００１−３７８２０
【発明の開示】
【発明が解決しようとする課題】
【０００４】
本発明は背景技術で記述した問題点を解消する為に成されたもので、マット上の曲折箇所を起伏度合が変化しても一定箇所に、且つ姿勢保持が起伏度合で変位する中心移動起伏連動変位機能を有する背上げ機構のソフトギャッチベッドの提供を目的とするものである。
【課題を解決するための手段】
【０００５】
本発明は背上げ機構の背上げ駆動の移動幅と背に対応するボトムを用途別に分けて、ボトムを前後に移動させながら起伏し、厚いマット上の曲折箇所が起伏度合が変化しても一定箇所で、しかもボトムが起伏度合に応じて姿勢保持を変位して尻押し、圧迫、ズリ落ちを解消する中心移動起伏連動変位機能を最も主要な特徴とするものである。
【発明の効果】
【０００６】
本発明の中心移動起伏連動変位機能を有する背上げ機構のソフトギャチベッドは、起伏度合が変化しても厚いマット上の曲折箇所が一定で移動起伏度合に応じて姿勢保持が変位するため、起伏による体のズレは解消し、起伏のための脚上げ、尻落し作業は不要となり、起伏度合を大きくしても頭の突き出しがない、このため介護作業は軽減され我慢のベッド療養を和らげる事ができる。
【発明を実施するための最良の形態】
【０００７】
マット上の曲折箇所が起伏度合の変化に関らず一定箇所で、起伏度合の変化に応じて姿勢保持を変位させ、起伏による尻押し、圧迫、頭の突き出し、ズリ落ちが解消されるため介護作業を軽減させることが簡単な構造で外観、ベッド機能、起伏機能を損なわず実現した。
【実施例１】
【０００８】
本発明の実施の形態の一例を図面を参照しながら説明する。
図１は従来技術の背部の起伏の１例で起伏度合でマット上の曲折箇所が変化することを図示した、図２は本発明の背上げ機構の駆動連結を除いた各部の位置関係を図示した、ボトムを連結する台座（３）は中心軸（１）起伏軸（２）をもち、ボトム載置部は尻腰部、背部、肩頭部に分画して、背部両端から尻腰部、肩頭部に台座（３）の起伏に応じて姿勢保持を変位できるための、斜下向の傾斜をもたせ、ボトムは尻腰ボトム（４）、背ボトム（５）、肩頭ボトム（６）に分ける、中心軸（１）は背部の延長ラインより下に位置し、中心軸（１）より下に起伏軸（２）は位置する、尻腰ボトム（４）は台座（３）の尻腰部より短い、ボトム受け（７）は肩頭ボトム（６）の後退傾斜のための傾斜を持つ。
【０００９】
図３は組み合わされた背上げ機構の倒伏状態で尻腰ボトム（４）背ボトム（５）肩頭ボトム（６）はベッドフレーム（１８）の上に並行している、中心軸（１）は軸受け（１０）の長孔(11)に摺動可能に連結、傾斜杆（９）は軸受け（１０）の小孔（１２）に回動可能に連結し他端はガイド孔（８）に摺動可能に連結、尻腰ボトム（４）は台座（３）の尻腰部に背部側端で回動可能に連結、背ボトム（５）は台座（３）の背部に固定、ボトム受け（７）に固定した肩頭ボトム（６）を背ボトム（５）に並行させて台座（３）の肩頭部に背部側端で回動可能にボトム受け（７）を連結する。
【００１０】
中心軸（１）起伏軸（２）を駆動すると中心軸（１）は長孔（１１）の中を摺動し、台座（３）は移動起立を始める、移動起立を始めると尻腰ボトム（４）は台座（３）の回動可能な連結箇所とベッドフレーム（１８）に支えられて台座（３）の起立角度と異なる角度で背ボトム（５）より後退傾斜して起立する、移動起伏角度が大きくなると尻腰ボトム（４）はベットフレーム（１８）から離れて台座（３）の尻腰部の傾斜に保持される、尻腰ボトム（４）は倒伏状態で背ボトム（５）と並行している以外は必ず背ボトム（５）より後退傾斜している。
【００１１】
傾斜杆（９）は台座（３）の移動起立に連動してボトム受け（７）のガイド孔（８）と台座（３）の背部対向側を摺動しながら所定の移動起立角度まで肩頭ボトム（６）を背ボトム（５）と並行させて起立する、所定の移動起立角度に達したとき傾斜杆（９）はガイド孔（８）の曲折箇所にあり、所定の移動起立角度を越えると傾斜杆（９）はガイド孔（８）に誘導されて、台座（３）に回動可能に連結した箇所からボトム受け（７）が背ボトム（５）よりも肩頭ボトム（６）を後退傾斜させながら起立する。
【００１２】
図４は移動起立を図示したもので尻腰ボトム（４）は台座（３）の尻腰部の傾斜に保持されて背ボトム（５）よりも後退傾斜し、肩頭ボトム（６）は傾斜杆（９）とガイド孔（８）台座（３）の背部対向側により背ボトム（５）よりも後退傾斜してる。
【００１３】
図５は背上げ部の模式的斜視説明図、図６は台座（３）と各ボトムの中心移動起伏連動変位の続図で台座（３）は中心軸（１）起伏軸（２）が移動しながら起伏し各ボトムは移動起伏に連動している、破線は一連の動きにマットを載せて曲折箇所が一定していることを表している。
【００１４】
図７、図８は中心軸（１）と起伏軸（２）に連結させる駆動機構で摺動子（１７）の移動幅の駆動力を起伏アーム（１４）で起伏軸（２）に回動可能に連結して伝達し、ベッドフレームに取付けた固定座（１６）と摺動子（１７）に回動、摺動可能に連結した縮動杆（１５）は摺動子（１７）に連動し、摺動子（１７）の移動幅は縮動杆（１５）の中間点で移動幅が小さくなり、この中間点の移動幅の駆動力を摺動可能に連結した中心アーム（１３）で中心軸（１）に回動可能に連結して伝達する、１つの駆動力の移動幅を２つの移動幅をもつ駆動力に分け台座（３）を移動させながら起伏させることが出来る。
【００１５】
中心移動起伏でマット上の曲折箇所は一定箇所で移動せず、中心移動起伏に連動して背ボトム（５）より後退傾斜した尻腰ボトム（４）は尻を押すことがないので、起伏によるズリ落ちを起こさず、中心移動起伏角度が大きくなっても肩頭ボトム（６）が背ボトム（５）より後退傾斜しているので頭の突き出しがなく、従来の起伏式ベットの背上げを理想の形にすることができ、介護作業を軽減することが実現した。
【産業上の利用可能性】
【００１６】
病気治療の為の姿勢保持、ベッド生活の寛ぎ姿勢保持、理想のリクライニング機構等の用途にも摘要できる。
【図面の簡単な説明】
【００１７】
【図１】従来の起伏ベッドの直線的背部の回動起伏の連続図及びマットの曲折箇所の変化図
【図２】中心移動起伏連動機能のための背上げ部分の各部の位置関係の図
【図３】組み合わせた背上げ部分の倒伏側面図
【図４】組み合わせた背上げ部分の起立側面図
【図５】組み合わせた背上げ部の模式的な斜視説明図
【図６】台座と各ボトムの起伏の連続側面図とマットの曲折箇所の変化図
【図７】駆動機構側面図
【図８】駆動機構平面図
【符号の説明】
【００１８】
１：中心軸
２：起伏軸
３：台座
４：尻腰ボトム
５：背ボトム
６：肩頭ボトム
７：ボトム受け
８：ガイド孔
９：傾斜杆
１０：軸受け
１１：長孔
１２：小孔
１３：中心アーム
１４：起伏アーム
１５：縮動杆
１６：固定座
１７：摺動子
１８：ベッドフレーム
【図１】
2005052539.tif 000003
【図２】
2005052539.tif 000004
【図３】
2005052539.tif 000005
【図４】
2005052539.tif 000006
【図５】
2005052539.tif 000007
【図６】
2005052539.tif 000008
【図７】
2005052539.tif 000009
【図８】
2005052539.tif 000010